【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
外部同期信号を生成する回路であって、該回路は、
外部フレーム同期信号（ＦＲＭ＿ＳＹＮＣ）並びにデジタル映像信号のフレーム同期信号（ＦＲＭ）及び水平同期信号（ＨＢＫ）を入力する手段と、
外部フレーム同期信号（ＦＲＭ＿ＳＹＮＣ）とデジタル映像信号のフレーム同期信号（ＦＲＭ）との位相差を測定する手段と、
デジタル映像信号の水平同期信号（ＨＢＫ）の周期と同じ周期を持つ信号（ＥＸＴ＿Ｈ）であって、デジタル映像信号のフレーム同期信号（ＦＲＭ）を基準として、前記測定された位相差を有する信号（ＥＸＴ＿Ｈ）を生成する手段と、
デジタル映像信号のフレーム同期信号（ＦＲＭ）の周期と同じ周期を持つ信号（ＥＸＴ＿Ｆ）であって、デジタル映像信号のフレーム同期信号（ＦＲＭ）を基準として、前記測定された位相差を有する信号（ＥＸＴ＿Ｆ）を生成する手段と、
を備え、
前記生成された信号（ＥＸＴ＿Ｆ）及び（ＥＸＴ＿Ｈ）が、外部同期信号の外部フレーム・タイミング信号及び外部水平タイミング信号として出力される、回路。
【請求項２】
外部同期信号を生成する回路であって、該回路は、
外部フレーム同期信号（ＦＲＭ＿ＳＹＮＣ）に位相同期するパルス信号（ＦＲＭ＿ＳＹＮＣ＿ＰＳ）を生成する手段（４）と、
デジタル映像信号のフレーム同期信号（ＦＲＭ）に位相同期するパルス信号（ＦＲＭ＿ＰＳ）を生成する手段（１）と、
デジタル映像信号の水平同期信号（ＨＢＫ）に位相同期するパルス信号（ＨＢＫ＿ＰＳ）を生成する手段（５）と、
外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、デジタル映像信号のクロックの周期を単位として、何ドットだけ離れているかを測定する手段（６）（７）と、
外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、デジタル映像信号の水平同期信号（ＨＢＫ）の周期を単位として、何ラインだけ離れているかを測定する手段（２）（３）と、
デジタル映像信号の水平同期信号（ＨＢＫ）の周期と同じ周期を持つ信号（ＥＸＴ＿Ｈ＿Ａ）であって、前記測定されたドッド数に基づいて、デジタル映像信号のフレーム同期信号のパルス信号（ＦＲＭ＿ＰＳ）の位相に対して、位相シフトさせられた信号（ＥＸＴ＿Ｈ＿Ａ）を生成する手段（９）と、
デジタル映像信号のフレーム同期信号（ＦＲＭ）の周期と同じ周期を持つ信号（ＥＸＴ＿Ｆ＿Ａ）であって、前記測定されたライン数に基づいて、デジタル映像信号のフレーム同期信号のパルス信号（ＦＲＭ＿ＰＳ）の位相に対して、位相シフトさせられた信号（ＥＸＴ＿Ｆ＿Ａ）を生成する手段（８）と、
前記測定されたドット数に基づいて、前記手段（８）によって生成される信号（ＥＸＴ＿Ｆ＿Ａ）を、位相シフトさせる手段（１０）と、
前記手段（１０）によって位相シフトさせられた信号（ＥＸＴ＿Ｆ）の位相と、前記手段（９）によって生成される信号（ＥＸＴ＿Ｈ＿Ａ）の位相とが一致するように、前記手段（９）によって生成される信号（ＥＸＴ＿Ｈ＿Ａ）を位相シフトさせる手段（１１）と、
を備え、
前記手段（１０）によって位相シフトさせられた信号（ＥＸＴ＿Ｆ）及び前記手段（１１）によって位相シフトさせられた信号（ＥＸＴ＿Ｈ）が、外部同期信号の外部フレーム・タイミング信号及び外部水平タイミング信号として出力される、回路。
【請求項３】
外部同期信号を生成する回路であって、該回路は、
外部フレーム同期信号（ＦＲＭ＿ＳＹＮＣ）の立ち上がりを検出する回路（４）であって、外部フレーム同期信号（ＦＲＭ＿ＳＹＮＣ）に位相同期するパルス信号（ＦＲＭ＿ＳＹＮＣ＿ＰＳ）を生成する回路（４）と、
デジタル映像信号のフレーム同期信号（ＦＲＭ）の立ち上がりを検出する回路（１）であって、デジタル映像信号のフレーム同期信号（ＦＲＭ）に位相同期するパルス信号（ＦＲＭ＿ＰＳ）を生成する回路（１）と、
デジタル映像信号の水平同期信号（ＨＢＫ）の立ち上がりを検出する回路（５）であって、デジタル映像信号の水平同期信号（ＨＢＫ）に位相同期するパルス信号（ＨＢＫ＿ＰＳ）を生成する回路（５）と、
デジタル映像信号の水平同期信号のパルス信号（ＨＢＫ＿ＰＳ）をリセット信号として用い、デジタル映像信号のクロック数をカウントする第１カウンタ（６）と、
外部フレーム同期信号のパルス信号（ＦＲＭ＿ＳＹＮＣ＿ＰＳ）をイネーブル信号として入力し、外部フレーム同期信号のパルス信号が入力された時点での第１カウンタのカウンタ値を保持する第１レジスタ（７）と、
デジタル映像信号のフレーム同期信号のパルス信号（ＦＲＭ＿ＰＳ）をリセット信号として用い、デジタル映像信号の水平同期信号のパルス信号（ＨＢＫ＿ＰＳ）の周期の数をカウントする第２カウンタ（２）と、
外部フレーム同期信号のパルス信号（ＦＲＭ＿ＳＹＮＣ＿ＰＳ）をイネーブル信号として入力し、外部フレーム同期信号のパルス信号が入力された時点での第２カウンタのカウンタ値を保持する第２レジスタ（３）と、
第１カウンタによってカウントされるカウンタ値と、第１レジスタによって保持されるカウント値と一致する期間だけ、ＨＩＧＨ状態を表す信号（ＥＸＴ＿Ｈ＿Ａ）を生成する第１コンパレータ（９）と、
第２カウンタによってカウントされるカウンタ値と、第２レジスタによって保持されるカウント値と一致する期間だけ、ＨＩＧＨ状態を表す信号（ＥＸＴ＿Ｆ＿Ａ）を生成する第２コンパレータ（８）と、
第２コンパレータ（８）の信号（ＥＸＴ＿Ｆ＿Ａ）を、第１コンパレータ（９）の信号（ＥＸＴ＿Ｈ＿Ａ）のタイミングでラッチする第１フリップ・フロップ（１０）と、
第１コンパレータ（９）の信号（ＥＸＴ＿Ｈ＿Ａ）を、デジタル映像信号のクロックのタイミングでラッチする第２フリップ・フロップ（１１）と、
を備え、
第１フリップ・フロップ（１０）によってラッチされた信号（ＥＸＴ＿Ｆ）及び第２フリップ・フロップ（１１）によってラッチされた信号（ＥＸＴ＿Ｈ）が、外部同期信号の外部フレーム・タイミング信号及び外部水平タイミング信号として出力される、回路。
【請求項４】
位相差を測定する回路であって、該回路は、
外部フレーム同期信号（ＦＲＭ＿ＳＹＮＣ）に位相同期するパルス信号（ＦＲＭ＿ＳＹＮＣ＿ＰＳ）を生成する手段（４）と、
デジタル映像信号のフレーム同期信号（ＦＲＭ）に位相同期するパルス信号（ＦＲＭ＿ＰＳ）を生成する手段（１）と、
デジタル映像信号の水平同期信号（ＨＢＫ）に位相同期するパルス信号（ＨＢＫ＿ＰＳ）を生成する手段（５）と、
外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、デジタル映像信号のクロックの周期を単位として、何ドットだけ離れているかを測定する手段（６）（７）と、
外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、デジタル映像信号の水平同期信号（ＨＢＫ）の周期を単位として、何ラインだけ離れているかを測定する手段（２）（３）と、
を備える、回路。
【請求項５】
請求項４に記載の位相差を測定する回路を備えるウェーブ・フォーム・モニタであって、該ウェーブ・フォーム・モニタはさらに、
前記測定されたライン数及びドット数を記憶するメモリ手段を備え、
前記記憶されるライン数及びドット数がウェーブ・フォーム・モニタに表示される、ウェーブ・フォーム・モニタ。
【請求項６】
請求項５に記載のウェーブ・フォーム・モニタであって、該ウェーブ・フォーム・モニタはさらに、
第１入力として入力されるデジタル映像信号に関するライン数及びドット数と、第２入力として入力されるデジタル映像信号に関するライン数及びドット数との差を算出するＣＰＵを備え、
前記算出された差が、第１入力のデジタル映像信号と第２入力のデジタル映像信号との相対的な位相差として、ウェーブ・フォーム・モニタに表示される、ウェーブ・フォーム・モニタ。
【請求項７】
位相差を測定する回路であって、該回路は、
外部フレーム同期信号（ＦＲＭ＿ＳＹＮＣ）の立ち上がりを検出する回路（４）であって、外部フレーム同期信号（ＦＲＭ＿ＳＹＮＣ）に位相同期するパルス信号（ＦＲＭ＿ＳＹＮＣ＿ＰＳ）を生成する回路（４）と、
デジタル映像信号のフレーム同期信号（ＦＲＭ）の立ち上がりを検出する回路（１）であって、デジタル映像信号のフレーム同期信号（ＦＲＭ）に位相同期するパルス信号（ＦＲＭ＿ＰＳ）を生成する回路（１）と、
デジタル映像信号の水平同期信号（ＨＢＫ）の立ち上がりを検出する回路（５）であって、デジタル映像信号の水平同期信号（ＨＢＫ）に位相同期するパルス信号（ＨＢＫ＿ＰＳ）を生成する回路（５）と、
デジタル映像信号の水平同期信号のパルス信号（ＨＢＫ＿ＰＳ）をリセット信号として用い、デジタル映像信号のクロック数をカウントするドッド位相差カウンタ（６）と、
外部フレーム同期信号のパルス信号（ＦＲＭ＿ＳＹＮＣ＿ＰＳ）をイネーブル信号として入力し、外部フレーム同期信号のパルス信号が入力された時点でのドッド位相差カウンタのカウンタ値を保持するドッド位相差レジスタ（７）と、
デジタル映像信号のフレーム同期信号のパルス信号（ＦＲＭ＿ＰＳ）をリセット信号として用い、デジタル映像信号の水平同期信号のパルス信号（ＨＢＫ＿ＰＳ）の周期の数をカウントするライン位相差カウンタ（２）と、
外部フレーム同期信号のパルス信号（ＦＲＭ＿ＳＹＮＣ＿ＰＳ）をイネーブル信号として入力し、外部フレーム同期信号のパルス信号が入力された時点でのライン位相差カウンタのカウンタ値を保持するライン位相差レジスタ（３）と、
を備える回路。
【手続補正２】
【補正対象書類名】明細書
【補正対象項目名】００１２
【補正方法】変更
【補正の内容】
【００１２】
具体的には、外部同期信号を生成する回路は、外部フレーム同期信号（ＦＲＭ＿ＳＹＮＣ）の立ち上がりを検出する回路（４）であって、外部フレーム同期信号（ＦＲＭ＿ＳＹＮＣ）に位相同期するパルス信号（ＦＲＭ＿ＳＹＮＣ＿ＰＳ）を生成する回路（４）と、デジタル映像信号のフレーム同期信号（ＦＲＭ）の立ち上がりを検出する回路（１）であって、デジタル映像信号のフレーム同期信号（ＦＲＭ）に位相同期するパルス信号（ＦＲＭ＿ＰＳ）を生成する回路（１）と、デジタル映像信号の水平同期信号（ＨＢＫ）の立ち上がりを検出する回路（５）であって、デジタル映像信号の水平同期信号（ＨＢＫ）に位相同期するパルス信号（ＨＢＫ＿ＰＳ）を生成する回路（５）と、デジタル映像信号の水平同期信号のパルス信号（ＨＢＫ＿ＰＳ）をリセット信号として用い、デジタル映像信号のクロック数をカウントする第１カウンタ（６）と、外部フレーム同期信号のパルス信号（ＦＲＭ＿ＳＹＮＣ＿ＰＳ）をイネーブル信号として入力し、外部フレーム同期信号のパルス信号が入力された時点での第１カウンタのカウンタ値を保持する第１レジスタ（７）と、デジタル映像信号のフレーム同期信号のパルス信号（ＦＲＭ＿ＰＳ）をリセット信号として用い、デジタル映像信号の水平同期信号のパルス信号（ＨＢＫ＿ＰＳ）の周期の数をカウントする第２カウンタ（２）と、外部フレーム同期信号のパルス信号（ＦＲＭ＿ＳＹＮＣ＿ＰＳ）をイネーブル信号として入力し、外部フレーム同期信号のパルス信号が入力された時点での第２カウンタのカウンタ値を保持する第２レジスタ（３）と、第１カウンタによってカウントされるカウンタ値と、第１レジスタによって保持されるカウント値と一致する期間だけ、ＨＩＧＨ状態を表す信号（ＥＸＴ＿Ｈ＿Ａ）を生成する第１コンパレータ（９）と、第２カウンタによってカウントされるカウンタ値と、第２レジスタによって保持されるカウント値と一致する期間だけ、ＨＩＧＨ状態を表す信号（ＥＸＴ＿Ｆ＿Ａ）を生成する第２コンパレータ（８）と、第２コンパレータ（８）の信号（ＥＸＴ＿Ｆ＿Ａ）を、第１コンパレータ（９）の信号（ＥＸＴ＿Ｈ＿Ａ）のタイミングでラッチする第１フリップ・フロップ（１０）と、第１コンパレータ（９）の信号（ＥＸＴ＿Ｈ＿Ａ）を、デジタル映像信号のクロックのタイミングでラッチする第２フリップ・フロップ（１１）と、を備える。
【手続補正３】
【補正対象書類名】明細書
【補正対象項目名】００１３
【補正方法】変更
【補正の内容】
【００１３】
本発明の位相差を測定する回路は、外部フレーム同期信号（ＦＲＭ＿ＳＹＮＣ）に位相同期するパルス信号（ＦＲＭ＿ＳＹＮＣ＿ＰＳ）を生成する手段（４）と、デジタル映像信号のフレーム同期信号（ＦＲＭ）に位相同期するパルス信号（ＦＲＭ＿ＰＳ）を生成する手段（１）と、デジタル映像信号の水平同期信号（ＨＢＫ）に位相同期するパルス信号（ＨＢＫ＿ＰＳ）を生成する手段（５）と、外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、デジタル映像信号のクロックの周期を単位として、何ドットだけ離れているかを測定する手段（６）（７）と、外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、デジタル映像信号の水平同期信号（ＨＢＫ）の周期を単位として、何ラインだけ離れているかを測定する手段（２）（３）と、を備える。
【手続補正４】
【補正対象書類名】明細書
【補正対象項目名】００２４
【補正方法】変更
【補正の内容】
【００２４】
位相差測定回路はさらに、外部フレーム同期信号のパルス信号（ＦＲＭ＿ＳＹＮＣ＿ＰＳ）とデジタル映像信号のフレーム同期信号のパルス信号（ＦＲＭ＿ＰＳ）との位相差を測定する手段（６）（７）（２）（３）を備える。具体的には、位相差を測定する手段（６）（７）（２）（３）は、外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、デジタル映像信号の水平同期信号（ＨＢＫ）の周期を単位として、どのくらい離れているか、即ち、何ライン何ドットだけ離れているかを測定する。即ち、位相差を測定する手段（６）（７）（２）（３）は、外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、何ラインだけ離れているかを測定（２）（３）し、何ドットだけ離れているかを測定（６）（７）する。
【手続補正５】
【補正対象書類名】明細書
【補正対象項目名】００２６
【補正方法】変更
【補正の内容】
【００２６】
ドット位相差カウンタ（ＤＯＴ  ＰＨＡＳＥ  ＣＯＵＮＴＥＲ）は、デジタル映像信号の水平同期信号のパルス信号（ＨＢＫ＿ＰＳ）をリセット信号として入力し、デジタル映像信号のクロック（ＰＣＬＫ）を入力してカウントし、そのカウント値をドット位相差レジスタ（ＤＯＴ  ＰＨＡＳＥ  ＲＥＧＩＳＴＥＲ）に出力する。図５の例において、ドット位相差カウンタ（ＤＯＴ  ＰＨＡＳＥ  ＣＯＵＮＴＥＲ）に、デジタル映像信号の水平同期信号のパルス信号（ＨＢＫ＿ＰＳ）が入力されてから１クロック又は１ドットだけ経過した後に、ドット位相差カウンタは、カウンタ値を「０」にリセットし；１クロック又は１ドットだけさらに経過した後に、ドット位相差カウンタは、カウンタ値を「１」にカウントし；１クロック又は１ドットだけさらに経過した後に、ドット位相差カウンタは、カウンタ値を「２」にカウントし；１クロック又は１ドットだけさらに経過した後に、ドット位相差カウンタは、カウンタ値を「３」にカウントし；１クロック又は１ドットだけさらに経過した後にデジタル映像信号の水平同期信号のパルス信号（ＨＢＫ＿ＰＳ）が入力され、ドット位相差カウンタは、カウンタ値を「４」にカウントし；デジタル映像信号の水平同期信号のパルス信号（ＨＢＫ＿ＰＳ）が入力されてから１クロック又は１ドットだけさらに経過した後に、ドット位相差カウンタは、カウンタ値を「０」にリセットする。
【手続補正６】
【補正対象書類名】明細書
【補正対象項目名】００２８
【補正方法】変更
【補正の内容】
【００２８】
上述のように、ドット位相差レジスタによって保持されるカウンタ値は、外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、デジタル映像信号のクロックの周期を単位として、何ドットだけ離れているかを意味している。図５の例において、ドット位相差レジスタによって保持されるカウンタ値「４」は、外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、「０」ドットだけ離れていることを意味する。なお、仮に、ドット位相差レジスタによって保持されるカウンタ値が「０」、「１」、「２」及び「３」を表しているとすれば、それらのカウンタ値は、それぞれ、「１」、「２」、「３」及び「４」ドットだけ離れていることを意味する。
【手続補正７】
【補正対象書類名】明細書
【補正対象項目名】００３１
【補正方法】変更
【補正の内容】
【００３１】
上述のように、ライン位相差レジスタによって保持されるカウンタ値は、外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、デジタル映像信号の水平同期信号（ＨＢＫ）の周期を単位として、何ラインだけ離れているかを意味している。図５の例において、ライン位相差レジスタによって保持されるカウンタ値「４」は、外部フレーム同期信号のパルス信号（ＦＲＭ＿ＳＹＮＣ＿ＰＳ）の位相が、デジタル映像信号のフレーム同期信号のパルス信号（ＦＲＭ＿ＰＳ）の位相に対して、「０」ラインだけ離れていることを意味する。なお、仮に、ドッド位相差レジスタによって保持されるカウンタ値が「４」を表し、且つライン位相差レジスタによって保持されるカウンタ値が「０」、「１」、「２」及び「３」を表しているとすれば、それらのカウンタ値は、それぞれ、「１」、「２」、「３」及び「４」ラインだけ離れていることを意味する。（仮に、ドッド位相差レジスタによって保持されるカウンタ値が「４」を表さず、且つライン位相差レジスタによって保持されるカウンタ値が「０」、「１」、「２」、「３」及び「４」を表しているとすれば、それらのカウンタ値は、それぞれ、「０」、「１」、「２」、「３」及び「４」ラインだけ離れていることを意味する（図６及びその説明を参照）。）
（外部同期信号生成回路）
外部同期信号生成回路の説明を簡略化するため、ドッド位相差レジスタによって保持されるカウンタ値を調整する手段（１３）及びライン位相差レジスタによって保持されるカウンタ値を調整する手段（１２）を省略する。